(57)【要約】【課題】  極めて簡単な構成により、長期間に亘って安定して使用できる嵌合型接続端子を提供することを目的とする。【解決手段】  ピン側ジャック端子２と、このピン側ジャック端子２が嵌合される受側ジャック端子３とを備え、ピン側ジャック端子２は、軸方向にスリット２１ｓを有する筒状の接地端子２１と、この接地端子２１の内側に位置し、差込部２２ａを接地端子２１の外方へ突出させた信号端子２２とからなり、受側ジャック端子３は、差込部２１ａが差し込まれる被差込端子３２と、接地端子２１が覆うように嵌合される筒状の受側接地端子３１とから構成した嵌合型接続端子１において、接地端子２１の外周を囲繞するスプリング７と、接地端子２１の外周の少なくとも一部を覆う絶縁被覆部７と、を更に備えている。【選択図】図２
2008108531.tif 000002
【特許請求の範囲】
【請求項１】
ピン側ジャック端子と、このピン側ジャック端子が嵌合される受側ジャック端子とを備え、前記ピン側ジャック端子は、軸方向にスリットを有する筒状の接地端子と、この接地端子の内側に位置し、差込部を前記接地端子の外方へ突出させた信号端子とからなり、前記受側ジャック端子は、前記信号端子の前記差込部が差し込まれる被差込端子と、前記接地端子が覆うように嵌合される筒状の受側接地端子とからなる嵌合型接続端子において、
前記接地端子の外周を囲繞するスプリングと、前記接地端子の外周の少なくとも一部を覆う絶縁被覆部と、を更に備え、前記スプリングは、前記接地端子に直接接するように配設され、かつ、前記絶縁被覆部によって覆われていることを特徴とする嵌合型接続端子。
【請求項２】
ピン側ジャック端子と、このピン側ジャック端子が嵌合される受側ジャック端子とを備え、前記ピン側ジャック端子は、軸方向にスリットを有する筒状の接地端子と、この接地端子の内側に位置し、差込部を前記接地端子の外方へ突出させた信号端子とからなり、前記受側ジャック端子は、前記差込部が差し込まれる被差込端子と、前記接地端子が覆うように嵌合される筒状の受側接地端子とからなる嵌合型接続端子において、
前記接地端子の外周を囲繞するスプリングと、前記接地端子の外周の少なくとも一部を覆う絶縁被覆部と、を更に備えていることを特徴とする嵌合型接続端子。
【請求項３】
前記スプリングは、前記絶縁被覆部の外周に配設され、前記接地端子の外周を、前記絶縁被覆部を介して囲繞するように構成したことを特徴とする請求項２に記載の嵌合型接続端子。
【請求項４】
前記絶縁被覆部は、その外周に凹部が形成され、当該凹部に前記スプリングを配設したことを特徴とする請求項３に記載の嵌合型接続端子。
【請求項５】
前記絶縁被覆部に、前記スプリングに近接して複数個の突起を設け、当該突起により前記スプリングが前記絶縁被覆部から抜けないように構成したことを特徴とする請求項３に記載の嵌合型接続端子。
【請求項６】
前記接地端子に、前記スプリングに近接して複数個の突部を設け、当該突部により前記スプリングが前記接地端子から抜けないように構成したことを特徴とする請求項２に記載の嵌合型接続端子。
【発明の詳細な説明】
【技術分野】
【０００１】
本発明は、例えば、ＡＶ機器などの外部接続用の嵌合型接続端子に関し、特に、長期間に亘って安定して使用できるようにしたものである。
【背景技術】
【０００２】
例えば、テレビジョン受像機、ビデオテープレコーダ、ＣＤプレーヤ、カラオケ装置などのＡＶ機器などは、通常、外部との接続部に、例えば、オーディオ信号用にＲＣＡ（Ｒａｄｉｏ Ｃｏｒｐｏｒａｔｉｏｎ ｏｆ Ａｍｅｒｉｃａ）コネクタと称せられる嵌合型接続端子が複数個設けられている。この嵌合型接続端子は、プラグとも称されるピン側ジャック端子が差し込まれることにより、コードを介して外部機器と電気的に接続される。
【０００３】
このような嵌合型接続端子として、従来では、例えば、軸方向の前方に信号端子を、その後方に接地端子を設けたプラグ端子を、受側ジャック端子の開口部に挿入するようにしたものがある(例えば、特許文献１参照）。
【０００４】
また、図９および図１０に示すように、ピン側ジャック端子２０と、このピン側ジャック端子２０が嵌合される受側ジャック端子３０とからなる嵌合型接続端子１０がある。この嵌合型接続端子１０のピン側ジャック端子２０は、軸方向にスリット２０１ｓを有する筒状の接地端子２０１と、この接地端子２０１の内側に位置し、接地端子２０１の中心から長さ方向に向けて一端縁より突出した差込部２０２ａを有する信号端子２０２を備えている。この差込部２０２ａは、受側ジャック端子３０にピン側ジャック端子２０を接続する際、受側ジャック端子３０の被差込端子３０２に挿入される。また、受側ジャック端子３０の受側接地端子３０１にピン側ジャック端子２０の接地端子２０１が嵌合して両者が結合され、電気的に接続される。なお、図中４０は、受側ジャック端子３０が装着されたＡＶ機器である、例えば、テレビジョン受像機である。また、５０は、ピン側ジャック端子２０が接続されるコードで、これらコード５０の先端と、ピン側ジャック端子２０とは、接地端子２０１の先端部分を除き、絶縁被覆部６０によって覆われている。この絶縁被覆部６０は、通常、モールド材を用いてモールド成形された成形物である。
【特許文献１】特開平８−２３６２２４号公報
【発明の開示】
【発明が解決しようとする課題】
【０００５】
しかし、前述の特許文献１記載の構成では、プラグ端子は、軸方向の前方に信号端子を、その後方に接地端子を設けているため、自ずとその全長が長くなり、これに対応して受側ジャック端子も全長が長くなるなどといった問題があった。これに対して、後者の図９および図１０に示す嵌合型接続端子１０では、ピン側ジャック端子２０の信号端子２０２と、接地端子２０１とを同軸状に配設しているので、充分な接触面積を得ながらその全長を短くすることができ都合がよい。ところが、接地端子２０１と、受側接地端子３０１との嵌合部分における接圧は、接地端子２０１の先端部分を除く外周部を覆う成型物である絶縁被覆部６０に持たしているため、短期間の使用（ピン側ジャック端子２０の抜き差し）により、嵌合が緩くなり、接地端子２０１の接圧力が低下するなどといった問題があった。
【０００６】
本発明は、上述した問題を解決するためになされたものであり、長期間に亘って安定して使用できる嵌合型接続端子を提供することを目的とする。
【課題を解決するための手段】
【０００７】
かかる目的を達成するため、本発明では、ピン側ジャック端子と、このピン側ジャック端子が嵌合される受側ジャック端子とを備え、ピン側ジャック端子は、軸方向にスリットを有する筒状の接地端子と、この接地端子の内側に位置し、差込部を接地端子の外方へ突出させた信号端子とからなり、受側ジャック端子は、信号端子の差込部が差し込まれる被差込端子と、接地端子が覆うように嵌合される筒状の受側接地端子とからなる嵌合型接続端子において、接地端子の外周を囲繞するスプリングと、接地端子の外周の少なくとも一部を覆う絶縁被覆部と、を更に備え、スプリングを、接地端子に直接接するように配設し、かつ、絶縁被覆部により覆う。
【０００８】
この構成によれば、軸方向にスリットを有する筒状の接地端子の外周は、スプリングにより囲繞されているので、使用中のピン側ジャック端子の抜き差しを行っても、接地端子と、被接地端子との嵌合が緩くなることがなく、接地端子は、長期間に亘って、安定した接圧力を維持することができる。しかも、スプリングは、絶縁被覆部によって覆われているので、使用中にスプリングが所定位置から抜けることがない。更に、スプリングは、絶縁被覆部によって覆われているので、スプリングは見えず、外観を損なうことがなく、都合がよい。
【０００９】
また、本発明においては、ピン側ジャック端子と、このピン側ジャック端子が嵌合される受側ジャック端子とを備え、ピン側ジャック端子は、軸方向にスリットを有する筒状の接地端子と、この接地端子の内側に位置し、差込部を接地端子の外方へ突出させた信号端子とからなり、受側ジャック端子は、差込部が差し込まれる被差込端子と、接地端子が覆うように嵌合される筒状の受側接地端子とからなる嵌合型接続端子において、接地端子の外周を囲繞するスプリングと、接地端子の外周の少なくとも一部を覆う絶縁被覆部と、を更に備えている。
【００１０】
この構成によれば、軸方向にスリットを有する筒状の接地端子の外周は、スプリングにより囲繞されているので、使用中のピン側ジャック端子の抜き差しを行っても、接地端子と、被接地端子との嵌合が緩くなることがなく、接地端子は、長期間に亘って、安定した接圧力を維持することができる。また、接地端子の外周を囲繞するようにスプリングを装着すればよいので、その構成は極めて簡単であり、既設のものにも適用でき、都合がよい。
【００１１】
また、本発明においては、スプリングは、絶縁被覆部の外周に配設され、接地端子の外周を、絶縁被覆部を介して囲繞するように構成する。この構成によれば、絶縁被覆部を形成した後に、スプリングを装着すればよいので、スプリングのバネ力の調整を簡単に行うことができる。また、絶縁被覆部の上から外周を囲繞するようにスプリングを装着すればよいので、その構成は極めて簡単であり、既設のものにも適用でき、都合がよい。
【００１２】
また、本発明においては、絶縁被覆部は、その外周に凹部が形成され、当該凹部にスプリングを配設する。この構成によれば、スプリングは、絶縁被覆部の外周に形成された凹部に装着すればよいので、その位置決めや、装着作業が簡単である。しかも、スプリングは、凹部に装着されているので、使用中にスプリングが凹部から抜けることがなく、都合がよい。
【００１３】
また、本発明においては、絶縁被覆部に、スプリングに近接して複数個の突起を設け、当該突起によりスプリングが絶縁被覆部から抜けないように構成する。この構成によれば、スプリングに近接して突起が設けられているので、使用中にスプリングが所定位置から抜けることがない。また、スプリングは、絶縁被覆部の外周に設けられた突起に近接する位置に装着すればよいので、その位置決めや、装着作業が簡単である。
【００１４】
更に、本発明においては、接地端子に、スプリングに近接して複数個の突部を設け、当該突部によりスプリングが接地端子から抜けないように構成する。この構成によれば、スプリングに近接して突起が設けられているので、使用中にスプリングが所定位置から抜けることがなく、都合がよい。
【発明の効果】
【００１５】
本発明によれば、極めて簡単な構成により、長期間に亘って安定して使用できる嵌合型接続端子を得ることができる。
【発明を実施するための最良の形態】
【００１６】
（第１実施形態）
以下、本発明の第１実施形態を図１乃至図３に基づいて説明する。図１は、本発明の一実施形態に係るＲＣＡコネクタの一例である嵌合型接続端子の概略構成を示す要部断面図、図２は、図１に示すピン側ジャック端子の概略側面図、図３は、図２に示すピン側ジャック端子の要部拡大図である。
【００１７】
図１に示すように、嵌合型接続端子１は、例えば、ＡＶ機器であるテレビジョン受像機４の音声入出力端子部に設けられた、受側ジャック端子３と、この受側ジャック端子３に差し込むように嵌合されるピン側ジャック端子２とから構成されている。
【００１８】
ピン側ジャック端子２は、図１乃至図３に示すように、接地端子２１と、この接地端子２１の内側に位置する信号端子２２とから形成されている。接地端子２１は、先端側が開口した筒状の外部導体であって、軸方向にスリット２１ｓが形成されている。接地端子２１の後端側には、コード５の接地線５１を接続するための接続部２１ａが形成されている。また、接地端子２１の略中央には、信号端子２２と絶縁するために合成樹脂などにより形成された絶縁体２３が内設されている。この絶縁体２３の中央には、例えば、貫通孔２３ａが形成されおり、この貫通孔２３ａに信号端子２２が装着されている。
【００１９】
信号端子２２は、ピン状の導体で、先端側を接地端子２１の外方へ一部突出させ、受側ジャック端子３への差込部２２ａとしている。また、信号端子２２の後端側には、コード５の信号線５２を接続するための接続部２２ｂが形成されている。接地端子２１および信号端子２２の接続部２１ａ、２２ｂには、コード５の一対の芯線が接続される。即ち、接地端子２１の接続部２１ａに接地線５１が、信号端子２２の接続部２２ｂに信号線５２が、例えば、半田付けなどにより接続される。
【００２０】
コード５が接続されたピン側ジャック端子２は、接地端子２１の先端側を除き、例えば、合成樹脂などからなるモールド材を用いてモールド成形により、接地端子２１の外周の少なくとも一部を覆うように絶縁被覆部６が形成される。
【００２１】
受側ジャック端子３は、上述のピン側ジャック端子２に対応する接続構造を備えており、信号端子２２の差込部２２ａが差し込まれる被差込端子３２と、接地端子２１が覆うように嵌合される筒状の受側接地端子３１とから形成されている。受側接地端子３１と、被差込端子３２との間は、例えば、合成樹脂などからなる絶縁体３３により絶縁されている。
【００２２】
かかる構成により、使用者は、例えば、テレビジョン受像機４の音声入出力端子部に設けられた受側ジャック端子３に、ピン側ジャック端子２を差し込むように嵌合することにより、ピン側ジャック端子２のコード５に繋がれた機器、例えば、イヤホンから所望の音声を聴くことができる。
【００２３】
而して、本発明に従い、図１乃至図３に示すように、ピン側ジャック端子２の接地端子２１は、その外周を直接接して囲繞するように、スプリング７が装着されている。このスプリング７は、例えば、ステンレスなどの鋼材からなり、バネ力を有し、接地端子２１を受側接地端子３１に嵌合しても、嵌合が緩くならないように作用する。スプリング７は、図示する例では、接地端子２１の外周を１回転しているのみであるが、スプリング７の材質や線径などにより複数巻回し、所望のバネ作用が得られるようにしてもよいのは、勿論である。
【００２４】
また、図示例では、接地端子２１には、スプリング７に近接して、円周方向に複数個の突部２１ｃを設け、当該突部２１ｃによりスプリング７が接地端子２１から抜けないように構成している。この突部２１ｃは、例えば、接地端子２１を所望の形状に形成する際、プレス加工時に突出するように形成すれば、特別、突部２１ｃを形成するための工程は必要でない。また、図示例では、スプリング７の両側に突部２１ｃを形成したが、例えば、絶縁被覆部６側の突部２１ｃを省略してもよいのは、勿論である。
【００２５】
以上の構成による本実施形態では、軸方向にスリット２１ｓを有する筒状の接地端子２１の外周は、スプリング７により囲繞されているので、使用中のピン側ジャック端子２の抜き差しを行っても、接地端子２１と、被接地端子３１との嵌合が緩くなることがなく、接地端子２１は、長期間に亘って、安定した接圧力を維持することができる。また、スプリング７に近接して突起が設けられているので、使用中の抜き差しによりスプリング７が所定位置から抜けることがない。更に、接地端子２１の外周を囲繞するようにスプリング７を装着すればよいので、その構成は極めて簡単であり、既設のものにも適用でき、都合がよい。
【００２６】
（第２実施形態）
次に、本発明の第２実施形態について図４を参照しながら説明する。図４は、本発明の第２実施形態に係る嵌合型接続端子のピン側ジャック端子の概略構成を示す一部断面図である。なお、図４において、上述した図１乃至図３と同じ符号を付した部分は、略同一のものを示すため、ここでは詳細な説明は省略する。以下、上述した実施形態との相違点を中心に説明する。
【００２７】
本実施形態では、図４に示すように、上述した実施形態と同様、接地端子２１の外周を囲繞するスプリング７を、接地端子２１に直接接するように配設している。そして、スプリング７を、絶縁被覆部６により覆うように形成する。この絶縁被覆部６は、上述した実施形態と同様、予め、接地端子２１にスプリング７を装着し、コード５が接続されたピン側ジャック端子２を、合成樹脂などからなるモールド材を用いてモールド成形する際に、同時に行うようにすればよい。
【００２８】
以上の構成による本実施形態よれば、上述した実施形態と同様の作用効果を奏する他、スプリング７は、絶縁被覆部６によって覆われているので、使用中にスプリング７が所定位置から抜けることがない。また、スプリング７は、絶縁被覆部６によって覆われているので、スプリング７は見えず、外観を損なうことがなく、都合がよい。
【００２９】
（第３実施形態）
次に、本発明の第３実施形態について図５および図６を参照しながら説明する。図５は、本発明の第３実施形態に係る嵌合型接続端子のピン側ジャック端子の概略構成を示す概略図、図６は、図５に示すピン側ジャック端子の要部拡大図である。なお、図５および図６において、上述した図１乃至図４と同じ符号を付した部分は、略同一のものを示すため、ここでは詳細な説明は省略する。以下、上述した実施形態との相違点を中心に説明する。
【００３０】
本実施形態では、図５および図６に示すように、スプリング７は、絶縁被覆部６の外周に配設され、接地端子２１の外周を、絶縁被覆部６を介して囲繞するように構成する。また、絶縁被覆部６に、スプリング７に近接して複数個の突起６１を設け、当該突起６１によりスプリング７が絶縁被覆部６から抜けないように構成する。この突起６１は、上述した実施形態と同様、コード５が接続されたピン側ジャック端子２を、合成樹脂などからなるモールド材を用いてモールド成形する際に、金型などを用いて同時に形成するようにすればよい。
【００３１】
以上の構成による本実施形態よれば、上述した実施形態と同様の作用効果を奏する他、絶縁被覆部６を形成した後に、スプリング７を装着すればよいので、スプリング７のバネ力の調整を簡単に行うことができる。また、スプリング７に近接して突起６１が設けられているので、使用中にスプリング７が所定位置から抜けることがない。また、スプリング７は、絶縁被覆部６の外周に設けられた突起６１に近接する位置に装着すればよいので、その位置決めや、装着作業が簡単である。更に、絶縁被覆部６の上から外周を囲繞するようにスプリング７を装着すればよいので、その構成は極めて簡単であり、既設のものにも適用でき、都合がよい。
【００３２】
（第４実施形態）
次に、本発明の第４実施形態について図７および図８を参照しながら説明する。図７は、本発明の第４実施形態に係る嵌合型接続端子のピン側ジャック端子の概略構成を示す要部側面図、図８は、図７に示すピン側ジャック端子の要部拡大図である。なお、図７および図８において、上述した図１乃至図６と同じ符号を付した部分は、略同一のものを示すため、ここでは詳細な説明は省略する。以下、上述した実施形態との相違点を中心に説明する。
【００３３】
本実施形態では、図７および図８に示すように、絶縁被覆部６は、その外周に凹部６２が形成され、当該凹部６２にスプリング７を配設する。この凹部６２は、上述した実施形態と同様、コード５が接続されたピン側ジャック端子２を、合成樹脂などからなるモールド材を用いてモールド成形する際に、金型などを用いて同時に形成するようにすればよい。
【００３４】
以上の構成による本実施形態よれば、上述した実施形態と同様の作用効果を奏する他、スプリング７は、絶縁被覆部６の外周に形成された凹部６２に装着すればよいので、そのその位置決めや、装着作業が簡単である。しかも、スプリング７は、凹部６２に装着されているので、使用中にスプリング７が凹部６２から抜けることがなく、都合がよい。
【００３５】
なお、上述した各実施形態は、本発明の好適な実施例であるが、本発明はこれに限定されるものではなく、本発明の要旨を逸脱しない範囲において、種々変形実施可能である。
【図面の簡単な説明】
【００３６】
【図１】本発明の一実施形態に係るＲＣＡコネクタの一例である嵌合型接続端子の概略構成を示す要部断面図である。
【図２】図１に示すピン側ジャック端子の概略側面図である。
【図３】図２に示すピン側ジャック端子の要部拡大図である。
【図４】本発明の第２実施形態に係る嵌合型接続端子のピン側ジャック端子の概略構成を示す一部断面図である。
【図５】本発明の第３実施形態に係る嵌合型接続端子のピン側ジャック端子の概略構成を示す側面図である。
【図６】図５に示すピン側ジャック端子の要部拡大図である。
【図７】本発明の第４実施形態に係る嵌合型接続端子のピン側ジャック端子の概略構成を示す要部側面図である。
【図８】図７に示すピン側ジャック端子の要部拡大図である。
【図９】従来の嵌合型接続端子の概略構成を示す要部断面図である。
【図１０】図９に示すピン側ジャック端子の概略側面図である。
【符号の説明】
【００３７】
１      嵌合型接続端子
２      ピン側ジャック端子
２１    接地端子
２１ｃ  突部
２１ｓ  スリット
２２    信号端子
２２ａ  差込部
３      受側ジャック端子
３１    受側接地端子
３２    被差込端子
６      絶縁被覆部
６１    突起
６２    凹部
７      スプリング
【図１】
2008108531.tif 000003
【図２】
2008108531.tif 000004
【図３】
2008108531.tif 000005
【図４】
2008108531.tif 000006
【図５】
2008108531.tif 000007
【図６】
2008108531.tif 000008
【図７】
2008108531.tif 000009
【図８】
2008108531.tif 000010
【図９】
2008108531.tif 000011
【図１０】
2008108531.tif 000012